【手続補正書】
【提出日】平成19年10月3日(2007.10.3)
【手続補正１】
【補正対象書類名】特許請求の範囲
【補正対象項目名】全文
【補正方法】変更
【補正の内容】
【特許請求の範囲】
【請求項１】
撮影画像に添付された、当該撮影画像の撮影時における撮影条件を示す情報を参照し、当該撮影条件を構成する複数の条件のうち所定の条件を示す情報を抽出する抽出工程と、
前記撮影画像のデータを用いて、前記所定の条件を示す情報を求める計算工程と、
前記計算工程で計算した情報と、前記抽出工程で抽出した情報とを比較する比較工程と、
前記比較工程による比較結果が一致していない場合には、当該比較結果が一致するように、前記撮影画像、もしくは前記抽出工程で抽出した情報の何れかを変更する変更工程と
を備えることを特徴とする画像処理方法。
【請求項２】
前記変更工程では、
前記比較工程による比較結果が一致していない場合には、当該比較結果が一致するように、前記撮影画像、もしくは前記抽出工程で抽出した情報の何れを変更するかを選択するための指示を入力する入力工程を備え、
前記入力工程で入力した指示で選択された方を変更することを特徴とする請求項１に記載の画像処理方法。
【請求項３】
撮影画像に添付された、当該撮影画像の撮影時における撮影条件を示す情報を参照し、当該撮影画像を撮影した撮影装置の撮影時におけるロール値を示す情報を抽出する抽出工程と、
前記撮影画像のデータを用いて、前記撮影装置の撮影時におけるロール値を求める計算工程と、
前記計算工程で計算したロール値と、前記抽出工程で抽出した情報が示すロール値とを比較する比較工程と、
前記比較工程による比較結果が一致していない場合には、当該比較結果が一致するように、前記撮影画像を回転させる、もしくは前記抽出工程で抽出した情報が示すロール値を変更する変更工程と
を備えることを特徴とする画像処理方法。
【請求項４】
前記変更工程では、
前記比較工程による比較結果が一致していない場合には、当該比較結果が一致するように、前記撮影画像を回転させるのか、もしくは前記抽出工程で抽出した情報が示すロール値を変更するかを選択するための指示を入力する入力工程を備え、
前記入力工程で入力した指示で選択された方の処理を行うことを特徴とする請求項３に記載の画像処理方法。
【請求項５】
撮影画像に添付された、当該撮影画像の撮影時における撮影条件を示す情報を参照し、当該撮影画像におけるシーンを特定する情報を抽出する抽出工程と、
前記撮影画像のデータを用いて、前記撮影画像におけるシーンを求める計算工程と、
前記計算工程で求めたシーンと、前記抽出工程で抽出した情報が示すシーンとを比較する比較工程と、
前記比較工程による比較結果が一致していない場合には、当該比較結果が一致するように、前記撮影画像を補正する、もしくは前記抽出工程で抽出した情報を変更する変更工程と
を備えることを特徴とする画像処理方法。
【請求項６】
前記変更工程では、
前記比較工程による比較結果が一致していない場合には、当該比較結果が一致するように、前記撮影画像を補正するのか、もしくは前記抽出工程で抽出した情報を変更するかを選択するための指示を入力する入力工程を備え、
前記入力工程で入力した指示で選択された方の処理を行うことを特徴とする請求項５に記載の画像処理方法。
【請求項７】
撮影画像に添付された、当該撮影画像の撮影時における撮影条件を示す情報を参照し、当該撮影条件を構成する複数の条件のうち所定の条件を示す情報を抽出する抽出手段と、
前記撮影画像のデータを用いて、前記所定の条件を示す情報を求める計算手段と、
前記計算手段が計算した情報と、前記抽出手段が抽出した情報とを比較する比較手段と、
前記比較手段による比較結果が一致していない場合には、当該比較結果が一致するように、前記撮影画像、もしくは前記抽出手段が抽出した情報の何れかを変更する変更手段と
を備えることを特徴とする画像処理装置。
【請求項８】
撮影画像に添付された、当該撮影画像の撮影時における撮影条件を示す情報を参照し、当該撮影画像を撮影した撮影装置の撮影時におけるロール値を示す情報を抽出する抽出手段と、
前記撮影画像のデータを用いて、前記撮影装置の撮影時におけるロール値を求める計算手段と、
前記計算手段が計算したロール値と、前記抽出手段が抽出した情報が示すロール値とを比較する比較手段と、
前記比較手段による比較結果が一致していない場合には、当該比較結果が一致するように、前記撮影画像を回転させる、もしくは前記抽出手段が抽出した情報が示すロール値を変更する変更手段と
を備えることを特徴とする画像処理装置。
【請求項９】
撮影画像に添付された、当該撮影画像の撮影時における撮影条件を示す情報を参照し、当該撮影画像におけるシーンを特定する情報を抽出する抽出手段と、
前記撮影画像のデータを用いて、前記撮影画像におけるシーンを求める計算手段と、
前記計算手段が求めたシーンと、前記抽出手段が抽出した情報が示すシーンとを比較する比較手段と、
前記比較手段による比較結果が一致していない場合には、当該比較結果が一致するように、前記撮影画像を補正する、もしくは前記抽出手段が抽出した情報を変更する変更手段と
を備えることを特徴とする画像処理装置。
【請求項１０】
前記シーンを特定する情報は、夜景を示す画像またはポートレートであることを特徴とする請求項５に記載の画像処理方法。
【請求項１１】
コンピュータに請求項１乃至６の何れか１項又は請求項１０に記載の画像処理方法を実行させるためのプログラム。
【手続補正２】
【補正対象書類名】明細書
【補正対象項目名】００１３
【補正方法】変更
【補正の内容】
【００１３】
即ち、撮影画像に添付された、当該撮影画像の撮影時における撮影条件を示す情報を参照し、当該撮影条件を構成する複数の条件のうち所定の条件を示す情報を抽出する抽出工程と、
前記撮影画像のデータを用いて、前記所定の条件を示す情報を求める計算工程と、
前記計算工程で計算した情報と、前記抽出工程で抽出した情報とを比較する比較工程と、
前記比較工程による比較結果が一致していない場合には、当該比較結果が一致するように、前記撮影画像、もしくは前記抽出工程で抽出した情報の何れかを変更する変更工程と
を備えることを特徴とする。
【手続補正３】
【補正対象書類名】明細書
【補正対象項目名】００１５
【補正方法】変更
【補正の内容】
【００１５】
即ち、撮影画像に添付された、当該撮影画像の撮影時における撮影条件を示す情報を参照し、当該撮影画像を撮影した撮影装置の撮影時におけるロール値を示す情報を抽出する抽出工程と、
前記撮影画像のデータを用いて、前記撮影装置の撮影時におけるロール値を求める計算工程と、
前記計算工程で計算したロール値と、前記抽出工程で抽出した情報が示すロール値とを比較する比較工程と、
前記比較工程による比較結果が一致していない場合には、当該比較結果が一致するように、前記撮影画像を回転させる、もしくは前記抽出工程で抽出した情報が示すロール値を変更する変更工程と
を備えることを特徴とする。
【手続補正４】
【補正対象書類名】明細書
【補正対象項目名】００１７
【補正方法】変更
【補正の内容】
【００１７】
即ち、撮影画像に添付された、当該撮影画像の撮影時における撮影条件を示す情報を参照し、当該撮影画像におけるシーンを特定する情報を抽出する抽出工程と、
前記撮影画像のデータを用いて、前記撮影画像におけるシーンを求める計算工程と、
前記計算工程で求めたシーンと、前記抽出工程で抽出した情報が示すシーンとを比較する比較工程と、
前記比較工程による比較結果が一致していない場合には、当該比較結果が一致するように、前記撮影画像を補正する、もしくは前記抽出工程で抽出した情報を変更する変更工程と
を備えることを特徴とする。
【手続補正５】
【補正対象書類名】明細書
【補正対象項目名】００１９
【補正方法】変更
【補正の内容】
【００１９】
即ち、撮影画像に添付された、当該撮影画像の撮影時における撮影条件を示す情報を参照し、当該撮影条件を構成する複数の条件のうち所定の条件を示す情報を抽出する抽出手段と、
前記撮影画像のデータを用いて、前記所定の条件を示す情報を求める計算手段と、
前記計算手段が計算した情報と、前記抽出手段が抽出した情報とを比較する比較手段と、
前記比較手段による比較結果が一致していない場合には、当該比較結果が一致するように、前記撮影画像、もしくは前記抽出手段が抽出した情報の何れかを変更する変更手段と
を備えることを特徴とする。
【手続補正６】
【補正対象書類名】明細書
【補正対象項目名】００２１
【補正方法】変更
【補正の内容】
【００２１】
即ち、撮影画像に添付された、当該撮影画像の撮影時における撮影条件を示す情報を参照し、当該撮影画像を撮影した撮影装置の撮影時におけるロール値を示す情報を抽出する抽出手段と、
前記撮影画像のデータを用いて、前記撮影装置の撮影時におけるロール値を求める計算手段と、
前記計算手段が計算したロール値と、前記抽出手段が抽出した情報が示すロール値とを比較する比較手段と、
前記比較手段による比較結果が一致していない場合には、当該比較結果が一致するように、前記撮影画像を回転させる、もしくは前記抽出手段が抽出した情報が示すロール値を変更する変更手段と
を備えることを特徴とする。
【手続補正７】
【補正対象書類名】明細書
【補正対象項目名】００２３
【補正方法】変更
【補正の内容】
【００２３】
即ち、撮影画像に添付された、当該撮影画像の撮影時における撮影条件を示す情報を参照し、当該撮影画像におけるシーンを特定する情報を抽出する抽出手段と、
前記撮影画像のデータを用いて、前記撮影画像におけるシーンを求める計算手段と、
前記計算手段が求めたシーンと、前記抽出手段が抽出した情報が示すシーンとを比較する比較手段と、
前記比較手段による比較結果が一致していない場合には、当該比較結果が一致するように、前記撮影画像を補正する、もしくは前記抽出手段が抽出した情報を変更する変更手段と
を備えることを特徴とする。